(57)【要約】      （修正有）【課題】ネットワークが有する所定の帯域に輻輳を発生させることなく安定した高品質のネットワーク通信を可能とする。【解決手段】インターホン子機１とともに汎用ネットワーク３に接続される複数のインターホン親機２ａ、２ｂ、２ｃ、２ｄ、２ｅ、２ｆのうち、特定のインターホン親機に対してインターホン子機から汎用ネットワークを経由して呼出信号を送出して呼出すにあたり、この呼出信号を受信した親機制御部２４は、設定操作部２００により設定された転送先のインターホン親機の台数が１台又は複数台であるかの相違に対応させて、（同時なタイミングで行われる）信号転送の動作を継続又は停止する、或いは、転送先のインターホン親機の台数が複数台であるときには、複数台のインターホン親機のうち何れか１のインターホン親機にのみ信号転送を行う。【選択図】図１
2015070469.tif 000002
【特許請求の範囲】
【請求項１】
住戸外に設置され来訪者が住戸内の在室者を呼出して通話を行うインターホン子機と、前記住戸内に設置され前記来訪者からの呼出しに応答した前記在室者が通話を行う複数のインターホン親機とを有するインターホンシステムであって、
前記インターホン子機及び前記複数のインターホン親機間は、ＬＡＮ等の汎用ネットワークを経由して相互に接続され、
前記インターホン子機は、固有の子機ＩＤを有しており、前記来訪者が呼出操作を行う子機操作部と、前記子機操作部の操作を検出したとき前記子機ＩＤを付加した呼出信号を生成する子機制御部とを備え、
前記複数のインターホン親機はそれぞれ、固有の親機ＩＤを有しており、前記インターホン子機から前記汎用ネットワークを経由して伝送されてくる前記呼出信号を自インターホン親機を除く１台又は複数台の他のインターホン親機に転送させるための転送先を前記親機ＩＤに割当てて設定する設定操作部と、前記設定操作部により設定された転送先のインターホン親機を前記親機ＩＤに割当てて記憶し、前記転送先のインターホン親機が複数台であるとき、前記転送先の親機ＩＤが複数であることを示す輻輳制御コマンドを前記転送先の親機ＩＤとともに前記呼出信号に付加して前記汎用ネットワークに送出する親機制御部とを備え、
前記親機制御部は、前記汎用ネットワークを経由して転送されてくる前記呼出信号に付加された前記転送先の親機ＩＤが自インターホン親機に割当てられた前記親機ＩＤと一致し、前記呼出信号に前記輻輳制御コマンドが付加され、かつ自インターホン親機を除く前記転送先のインターホン親機が１台であるとき、前記呼出信号に前記輻輳制御コマンドを付加して前記汎用ネットワークに送出する機能と、前記汎用ネットワークを経由して転送されてくる前記呼出信号に付加された前記転送先の親機ＩＤが自インターホン親機に割当てられた親機ＩＤと一致し、前記呼出信号に前記輻輳制御コマンドが付加され、かつ前記呼出信号に付加された前記転送先の親機ＩＤが複数であるとき、前記呼出信号の転送を停止する機能とを備えることを特徴とするインターホンシステム。
【請求項２】
住戸外に設置され来訪者が住戸内の在室者を呼出して通話を行うインターホン子機と、前記住戸内に設置され前記来訪者からの呼出しに応答した前記在室者が通話を行う複数のインターホン親機とを有するインターホンシステムであって、
前記インターホン子機及び前記複数のインターホン親機間は、ＬＡＮ等の汎用ネットワークを経由して相互に接続され、
前記インターホン子機は、固有の子機ＩＤを有しており、前記来訪者が呼出操作を行う子機操作部と、前記子機操作部の操作を検出したとき、前記子機ＩＤを付加した呼出信号を生成する子機制御部とを備えている。
前記複数のインターホン親機はそれぞれ、固有の親機ＩＤを有しており、前記インターホン子機から前記汎用ネットワークを経由して伝送されてくる前記呼出信号を自インター音親機を除く１台又は複数台の他のインターホン親機に転送させるための転送先を前記親機ＩＤに割当てて設定する設定操作部と、前記設定操作部により設定された転送先のインターホン親機を前記親機ＩＤに割当てて記憶し、前記転送先のインターホン親機が複数台であるとき、前記転送先の親機ＩＤが複数であることを示す輻輳制御コマンドを前記転送先の親機ＩＤとともに前記呼出信号に付加して前記汎用ネットワークに送出する親機制御部とを備えている。
前記親機制御部は、前記汎用ネットワークを経由して転送されてくる呼出信号に付加された前記転送先の親機ＩＤが自インターホン親機に割当てられた前記親機ＩＤと一致し、前記呼出信号に前記輻輳制御コマンドが付加され、かつ前記呼出信号に付加された前記転送先の親機ＩＤが複数であるとき、前記複数の親機ＩＤのうち何れか１の親機ＩＤに該当するインターホン親機にのみ前記呼出信号の転送を行う機能を備えるインターホンシステム。
【請求項３】
前記親機制御部は、前記呼出信号の転送回数を示す転送回数情報を当該呼出信号に付加して前記汎用ネットワークに送出する機能と、前記汎用ネットワークを経由して転送されてくる前記呼出信号に付加された前記転送先の親機ＩＤが自インターホン親機に割当てられた前記親機ＩＤと一致したとき、前記転送回数情報に固定値を加算して前記呼出信号に付加する機能と、前記汎用ネットワークを経由して転送されてくる前記呼出信号に付加された前記転送先の親機ＩＤが自インターホン親機に割当てられた前記親機ＩＤと一致し、前記転送回数情報が所定の回数に至ったとき、前記呼出信号の転送を停止する機能とを備えることを特徴とする請求項１又は請求項２記載のインターホンシステム。
【請求項４】
前記親機制御部は、前記呼出信号の転送回数を示す転送回数情報を当該呼出信号に付加して前記汎用ネットワークに送出する機能と、前記汎用ネットワークを経由して転送されてくる前記呼出信号に付加された前記転送先の親機ＩＤが自インターホン親機に割当てられた前記親機ＩＤと一致したとき、前記転送回数情報から固定値を減算して前記呼出信号に付加する機能と、前記汎用ネットワークを経由して転送されてくる前記呼出信号に付加された前記転送先の親機ＩＤが自インターホン親機に割当てられた前記親機ＩＤと一致し、前記転送回数情報が所定の回数に至ったとき、前記呼出信号の転送を停止する機能を備えることを特徴とする請求項１又は請求項２記載のインターホンシステム。
【請求項５】
前記親機制御部は、前記汎用ネットワークを経由して転送されてくる前記呼出信号を複数受信したとき、何れか１の当該呼出信号のみを残して他の当該呼出信号については破棄する機能を備えることを特徴とする請求項１乃至請求項４のうち何れか１項記載のインターホンシステム。
【請求項６】
前記親機制御部は、前記インターホン子機から前記汎用ネットワークを経由して伝送されてくる前記呼出信号を複数受信したとき、請求項１又は請求項２記載の転送を実行する機能を備えることを特徴とする請求項１乃至請求項４のうち何れか１項記載のインターホンシステム。
【発明の詳細な説明】
【技術分野】
【０００１】
本発明は、ネットワーク対応型のインターホンシステムに係り、特に、子機からネットワークを経由して特定の親機を呼出すにあたり、この呼出しを特定の親機から転送する転送先親機の設定及びその制御を行うインターホンシステムに関する。
【背景技術】
【０００２】
従来から、ネットワークの通信品質を保証しつつ特定の端末間で呼出しを確立するにあたっては、呼出信号や、この呼出信号と比較してデータ量が大きくリアルタイムの伝送性を有する映像信号や音声信号の伝送帯域を十分に確保することが必要とされている。
【０００３】
そこで、親の通信端末と複数の子の通信端末とを備える通信ネットワークにおいて、通信品質に基づき、親の通信端末と子の通信端末との通信ルートを構築する通信ルート構築方法が開示されている（例えば、特許文献１を参照）。
【先行技術文献】
【特許文献】
【０００４】
【特許文献１】特開２００６−６７５５７号公報
【発明の概要】
【発明が解決しようとする課題】
【０００５】
しかしながら、背景技術に記載の方法で構築される通信ルートを、ネットワーク対応型のインターホンシステムに適用するにあたり、例えば、転送による呼出相手先が増加すると、特に、リアルタイム性を有する映像信号や音声信号の伝送帯域の確保が必要となるため、ネットワークが有する所定の帯域（周波数帯域）を圧迫するような輻輳が発生することで、安定した高品質のネットワーク通信が困難となるばかりでなく、このネットワークに接続される機器に異常が発生することもあった。
【０００６】
本発明は、これらの難点を解消するためになされたものであって、子機からネットワークを経由して特定の親機を呼出すにあたり、この呼出しを特定の親機から転送する転送先親機の台数に制約を持たせることで、ネットワークが有する所定の帯域に輻輳を発生させることなく安定した高品質のネットワーク通信を可能としたインターホンシステムを提供することを目的としている。
【課題を解決するための手段】
【０００７】
前述の目的を達成するため、本発明の第１の態様であるインターホンシステムは、住戸外に設置され来訪者が住戸内の在室者を呼出して通話を行うインターホン子機と、住戸内に設置され来訪者からの呼出しに応答した在室者が通話を行う複数のインターホン親機とを有する当該システムである。インターホン子機及び複数のインターホン親機間は、ＬＡＮ等の汎用ネットワークを経由して相互に接続されている。インターホン子機は、固有の子機ＩＤを有しており、来訪者が呼出操作を行う子機操作部と、子機操作部の操作を検出したとき子機ＩＤを付加した呼出信号を生成する子機制御部とを備えている。複数のインターホン親機はそれぞれ、固有の親機ＩＤを有しており、インターホン子機から汎用ネットワークを経由して伝送されてくる呼出信号を自インターホン親機を除く１台又は複数台の他のインターホン親機に転送させるための転送先を親機ＩＤに割当てて設定する設定操作部と、設定操作部により設定された転送先のインターホン親機を親機ＩＤに割当てて記憶し、転送先のインターホン親機が複数台であるとき、転送先の親機ＩＤが複数であることを示す輻輳制御コマンドを転送先の親機ＩＤとともに呼出信号に付加して汎用ネットワークに送出する親機制御部とを備えている。親機制御部は、汎用ネットワークを経由して転送されてくる呼出信号に付加された転送先の親機ＩＤが自インターホン親機に割当てられた親機ＩＤと一致し、呼出信号に輻輳制御コマンドが付加され、かつ自インターホン親機を除く転送先のインターホン親機が１台であるとき、呼出信号に輻輳制御コマンドを付加して汎用ネットワークに送出する機能と、汎用ネットワークを経由して転送されてくる呼出信号に付加された転送先の親機ＩＤが自インターホン親機に割当てられた親機ＩＤと一致し、呼出信号に輻輳制御コマンドが付加され、かつ呼出信号に付加された転送先の親機ＩＤが複数であるとき、呼出信号の転送を停止する機能とを備えている。
【０００８】
この態様のインターホンシステムによれば、インターホン子機とともに汎用ネットワークに接続される複数のインターホン親機のうち、特定のインターホン親機に対してインターホン子機から汎用ネットワークを経由して呼出信号を送出して呼出すにあたり、この呼出信号を受信した親機制御部は、設定操作部により設定された転送先のインターホン親機の台数が１台又は複数台であるかの相違に対応させて、（同時なタイミングで行われる）信号転送の動作を継続又は停止することができる。したがって、汎用ネットワークが有する所定の帯域（周波数帯域）に輻輳が発生することを防止でき、安定した高品質のネットワーク通信が可能となることにより、この汎用ネットワークに接続されるインターホン親機の異常、例えば、呼出信号の不達による失報の発生を抑制できる。
【０００９】
また、本発明の第２の態様であるインターホンシステムは、住戸外に設置され来訪者が住戸内の在室者を呼出して通話を行うインターホン子機と、住戸内に設置され来訪者からの呼出しに応答した在室者が通話を行う複数のインターホン親機とを有する当該システムである。インターホン子機及び複数のインターホン親機間は、ＬＡＮ等の汎用ネットワークを経由して相互に接続されている。インターホン子機は、固有の子機ＩＤを有しており、来訪者が呼出操作を行う子機操作部と、子機操作部の操作を検出したとき、子機ＩＤを付加した呼出信号を生成する子機制御部とを備えている。複数のインターホン親機はそれぞれ、固有の親機ＩＤを有しており、インターホン子機から汎用ネットワークを経由して伝送されてくる呼出信号を自インター音親機を除く１台又は複数台の他のインターホン親機に転送させるための転送先を親機ＩＤに割当てて設定する設定操作部と、設定操作部により設定された転送先のインターホン親機を親機ＩＤに割当てて記憶し、転送先のインターホン親機が複数台であるとき、転送先の親機ＩＤが複数であることを示す輻輳制御コマンドを転送先の親機ＩＤとともに呼出信号に付加して汎用ネットワークに送出する親機制御部とを備えている。親機制御部は、汎用ネットワークを経由して転送されてくる呼出信号に付加された転送先の親機ＩＤが自インターホン親機に割当てられた親機ＩＤと一致し、呼出信号に輻輳制御コマンドが付加され、かつ呼出信号に付加された転送先の親機ＩＤが複数であるとき、複数の親機ＩＤのうち何れか１の親機ＩＤに該当するインターホン親機にのみ呼出信号の転送を行う機能を備えている。
【００１０】
この態様のインターホンシステムによれば、インターホン子機とともに汎用ネットワークに接続される複数のインターホン親機のうち、特定のインターホン親機に対してインターホン子機から汎用ネットワークを経由して呼出信号を送出して呼出すにあたり、この呼出信号を受信した親機制御部は、設定操作部により設定された転送先のインターホン親機の台数が複数台であるとき、複数台のインターホン親機のうち何れか１のインターホン親機にのみ信号転送を行うことができる。したがって、汎用ネットワークが有する所定の帯域（周波数帯域）に輻輳が発生することを防止でき、安定した高品質のネットワーク通信が可能となることにより、この汎用ネットワークに接続されるインターホン親機の異常、例えば、呼出信号の不達による失報の発生を抑制できる。
【００１１】
また、本発明の第３の態様であるインターホンシステムは、本発明の第１の態様又は第２の態様において、親機制御部は、呼出信号の転送回数を示す転送回数情報を当該呼出信号に付加して汎用ネットワークに送出する機能と、汎用ネットワークを経由して転送されてくる呼出信号に付加された転送先の親機ＩＤが自インターホン親機に割当てられた親機ＩＤと一致したとき、転送回数情報に固定値を加算して呼出信号に付加する機能と、汎用ネットワークを経由して転送されてくる呼出信号に付加された転送先の親機ＩＤが自インターホン親機に割当てられた親機ＩＤと一致し、転送回数情報が所定の回数に至ったとき、呼出信号の転送を停止する機能とを備えている。
【００１２】
この態様のインターホンシステムによれば、複数のインターホン親機の親機制御部は、汎用ネットワークを経由して転送されてくる呼出信号を、設定操作部により設定された転送先のインターホン親機に転送するにあたって、その転送回数情報に固定値を加算し、転送可能な台数に該当する最大値である所定の回数に至ったときには信号転送の動作を停止することができる。したがって、汎用ネットワークが有する所定の帯域（周波数帯域）に輻輳が発生することを防止でき、安定した高品質のネットワーク通信が可能となることにより、この汎用ネットワークに接続されるインターホン親機の異常、例えば、呼出信号の不達による失報の発生を抑制できる。
【００１３】
また、本発明の第４の態様であるインターホンシステムは、本発明の第１の態様又は第２の態様において、親機制御部は、呼出信号の転送回数を示す転送回数情報を当該呼出信号に付加して汎用ネットワークに送出する機能と、汎用ネットワークを経由して転送されてくる呼出信号に付加された転送先の親機ＩＤが自インターホン親機に割当てられた親機ＩＤと一致したとき、転送回数情報から固定値を減算して呼出信号に付加する機能と、汎用ネットワークを経由して転送されてくる呼出信号に付加された転送先の親機ＩＤが自インターホン親機に割当てられた親機ＩＤと一致し、転送回数情報が所定の回数に至ったとき、呼出信号の転送を停止する機能を備えている。
【００１４】
この態様のインターホンシステムによれば、複数のインターホン親機の親機制御部は、汎用ネットワークを経由して転送されてくる呼出信号を、設定操作部により設定された転送先のインターホン親機に転送するにあたって、その転送回数情報から固定値を減算し、転送可能な台数に該当する最小値である所定の回数に至ったときには信号転送の動作を停止することができる。したがって、汎用ネットワークが有する所定の帯域（周波数帯域）に輻輳が発生することを防止でき、安定した高品質のネットワーク通信が可能となることにより、この汎用ネットワークに接続されるインターホン親機の異常、例えば、呼出信号の不達による失報の発生を抑制できる。
【００１５】
また、本発明の第５の態様であるインターホンシステムは、本発明の第１の態様乃至第４の態様のうち何れか１の態様において、親機制御部は、汎用ネットワークを経由して転送されてくる呼出信号を複数受信したとき、何れか１の呼出信号のみを残して他の呼出信号については破棄する機能を備えている。
【００１６】
この態様のインターホンシステムによれば、複数のインターホン親機の親機制御部は、汎用ネットワークを経由した転送されてくる呼出信号の受信動作が複数回繰返された場合であっても、受信した何れか１の呼出信号のみを残して他の呼出信号については破棄することができるため、例えば、無用な信号転送にかかる動作を行うことはない。
【００１７】
また、本発明の第５の態様であるインターホンシステムは、本発明の第１の態様乃至第４の態様のうち何れか１の態様において、親機制御部は、インターホン子機から汎用ネットワークを経由して伝送されてくる呼出信号を複数受信したとき、請求項１又は請求項２記載の転送を実行する機能を備えている。
【００１８】
この態様のインターホンシステムによれば、複数のインターホン親機の親機制御部は、インターホン子機から汎用ネットワークを経由して伝送されてくる呼出信号を複数受信した場合であっても、それぞれの受信動作のタイミングで信号転送を行うことができる。
【発明の効果】
【００１９】
本発明のインターホンシステムによれば、インターホン子機とともに汎用ネットワークに接続される複数のインターホン親機のうち、特定のインターホン親機に対してインターホン子機から汎用ネットワークを経由して呼出信号を送出して呼出すにあたり、この呼出信号を同時なタイミングで転送する転送先親機の台数に制約を持たせ、これに対応させて信号転送の動作を制御することができる。したがって、汎用ネットワークが有する所定の帯域（周波数帯域）に輻輳が発生することを防止でき、安定した高品質のネットワーク通信が可能となることにより、この汎用ネットワークに接続されるインターホン親機の異常、例えば、呼出信号の不達による失報の発生を抑制できる。
【図面の簡単な説明】
【００２０】
【図１】本発明の実施例によるインターホンシステムの具体的な構成を示すブロック図。
【図２】本発明の実施例によるインターホンシステムにおいて、複数のインターホン親機毎に設定・記憶される転送先のインターホン親機を該当する親機ＩＤに割当てたテーブル図。
【発明を実施するための形態】
【００２１】
以下、本発明のインターホンシステムを適用した実施の形態例について、図面を参照して説明する。
【００２２】
図１は、本発明の実施例によるインターホンシステムの具体的な構成を示すブロック図である。このインターホンシステムは、当該システムが適用される所定のエリア内で特定の住戸の住戸外、例えば、住戸玄関の周囲近傍に設置され来訪者が在室者を呼出して通話を行うインターホン子機１と、前述のような所定のエリア内で異なる場所、例えば、複数の住戸毎の住戸内にそれぞれ設置され来訪者からの呼出しに応答した在室者が通話を行う複数のインターホン親機、ここでは、６台のインターホン親機（以下、第１乃至第６のインターホン親機という）２ａ、２ｂ、２ｃ、２ｄ、２ｅ、２ｆと、インターホン子機１及び第１乃至第６のインターホン親機２ａ、２ｂ、２ｃ、２ｄ、２ｅ、２ｆを相互に接続するＬＡＮ（、ＷＡＮ）等の汎用ネットワーク３とを有している。
【００２３】
なお、同図において、複数のインターホン親機の設置台数については、前述のような６台に限定されるものではなく、当該システムが適用される所定のエリアの規模や大きさに対応させて任意の台数を適用することができる。また、インターホン子機１及び汎用ネットワーク３間、第１乃至第６のインターホン親機２ａ、２ｂ、２ｃ、２ｄ、２ｅ、２ｆ及び汎用ネットワーク３間はそれぞれ、図示のような有線による接続の態様に限定されるものではなく、不図示の無線による接続の態様も好適とされる。さらに、汎用ネットワーク３を経由して相互に接続されるインターホン子機１及び第１乃至第６のインターホン親機２ａ、２ｂ、２ｃ、２ｄ、２ｅ、２ｆの設置場所については、前述のような住戸外（住戸玄関）及び住戸内に限定されるものではなく、例えば、公共施設や複数の駅等に対応させた所定の場所に設置することもできる。
【００２４】
次に、同図に示すインターホン子機１は、自子機に割当てられた固有の識別符号としての例えば、ＩＰアドレスである子機ＩＤ（「ＩＤ−１」）を有しており、子機操作部１０、撮像部１１、子機マイク１２、子機スピーカ１３、子機制御部１４及び子機Ｉ／Ｆ（インターフェース）１５が備えられている。
【００２５】
このインターホン子機１において、子機操作部１０は、来訪者が在室者を呼出すための呼出操作を行うものであって、例えば、呼出（押圧）ボタンで構成されている。また、撮像部１１は、来訪者の映像や住戸玄関の周囲近傍の映像（監視映像を含む）を撮像し、所定の信号処理により例えば、ユニキャストでＲＴＳＰを用いた映像信号を生成するものであって、例えば、ＣＣＤ、ＣＭＯＳ等の各種の映像撮像媒体で構成されている。さらに、子機マイク１２及び子機スピーカ１３は、来訪者が在室者との間で通話を行うための音声（送話音声、受話音声）を入出力するものである。なお、撮像部１１によれば、不図示の人体感知センサ等が有する人体感知機能に連動させて、インターホン子機１の周囲近傍に人体の存在が感知されたときに、その動作を能動として映像信号を生成することもできる。
【００２６】
子機制御部１４は、前述のようなインターホン子機１の構成各部を制御するにあたって、例えば、子機操作部１０の使用による呼出検出、撮像部１１で生成された映像信号の信号処理及び通話時に音声信号（子機音声信号、親機音声信号）の送受信を行う機能等を備えている。また、子機Ｉ／Ｆ１５は、子機制御部１４及び汎用ネットワーク３間の信号伝送路を形成し、形成された信号伝送路を経由して各種信号の送受信を行うものである。
【００２７】
次に、同図に示す第１乃至第６のインターホン親機２ａ、２ｂ、２ｃ、２ｄ、２ｅ、２ｆはそれぞれ同様な構成であって、自親機に割当てられた固有の識別符号としての例えば、ＩＰアドレスである親機ＩＤ（「ＩＤ−２ａ」、「ＩＤ−２ｂ」、「ＩＤ−２ｃ」、「ＩＤ−２ｄ」、「ＩＤ−２ｅ」、「ＩＤ−２ｆ」）を有しており、親機操作部２０、表示部２１、親機マイク２２、親機スピーカ２３、親機制御部２４及び親機Ｉ／Ｆ２５が備えられている。
【００２８】
これら第１乃至第６のインターホン親機２ａ、２ｂ、２ｃ、２ｄ、２ｅ、２ｆにおいて、親機操作部２０は、インターホン子機１から汎用ネットワーク３を経由して伝送されてくる、又は自インターホン親機を除く他のインターホン親機から汎用ネットワーク３を経由して転送されてくる呼出信号（呼出転送信号）をもとに報知される来訪者からの呼出しに在室者が応答して親機マイク２２及び親機スピーカ２３の使用による通話を開始させる応答操作やその通話を終了させる終話操作が行われる通話操作部２００と、インターホン子機１から汎用ネットワーク３を経由して伝送されてくる呼出信号（及び映像信号）を自親機を除く１台又は複数台の他のインターホン親機に転送させるための転送先を親機ＩＤに割当てて設定するとともに自インターホン親機を転送モードに設定するための設定操作部２０１とを有している。なお、通話操作部２００としては、例えば、通話（押圧）ボタンや表示部２１の前面に配置されるタッチパネル等で構成されている。また、設定操作部２０１としては、例えば、インターホン親機２ａ、２ｂ、２ｃ、２ｄ、２ｅ、２ｆの機器内部のＤＩＰスイッチや表示部２１の前面に配置されるタッチパネル等で構成されている。
【００２９】
なお、親機操作部２０の設定操作部２０１の使用によりインターホン親機２ａ、２ｂ、２ｃ、２ｄ、２ｅ、２ｆ毎に設定される信号転送先のインターホン親機は、図２のテーブル図に示すように、親機ＩＤに割当てられて例えば、親機制御部２４に記憶されている。ここでは、〔１〕第１のインターホン親機２ａからの信号転送先は第２、第３のインターホン親機２ｂ、２ｃ（の２台）、〔２〕第２のインターホン親機２ｂからの信号転送先は第１のインターホン親機２ａ（の１台）、〔３〕第３のインターホン親機２ｃからの信号転送先は第４乃至第６のインターホン親機２ｄ、２ｅ、２ｆ（の３台）、〔４〕第４のインターホン親機２ｄからの信号転送先は「なし（０台）」、〔５〕第５のインターホン親機２ｅからの信号転送先は第６のインターホン親機２ｆ（の１台）、〔６〕第６のインターホン親機２ｆからの信号転送先は第５のインターホン親機２ｅ（の１台）、であるとして、それぞれの親機ＩＤが設定されているものとし、これらの設定は容易に変更可能である。
【００３０】
表示部２１は、インターホン子機１から汎用ネットワーク３を経由して伝送されてくる、又は自インターホン親機を除く他のインターホン親機から汎用ネットワーク３を経由して転送されてくる映像信号（映像転送信号）をもとに撮像部１１で撮像された映像を表示するものであって、例えば、ＬＣＤ、有機ＥＬディスプレイ等の各種の表示媒体で構成されている。なお、表示部２１は、前述のような映像表示のみならず、映像信号とともに伝送又は転送されてくる呼出信号をもとに来訪者からの呼出しがあることを示す例えば、文字メッセージや絵データ等を表示することもできる。
【００３１】
親機マイク２２及び親機スピーカ２３は、在室者が来訪者との間で通話を行うための音声（送話音声、受話音声）を入出力するばかりでなく、来訪者からの呼出しがあることを示す例えば、呼出音や音声メッセージ等を出力することもできる。
【００３２】
親機制御部２４は、前述のようなインターホン親機２ａ、２ｂ、２ｃ、２ｄ、２ｅ、２ｆの構成各部を制御するものであって、例えば、インターホン子機１の子機操作部１０の使用による来訪者からの呼出しを検出してその報知を行う呼出報知制御、撮像部１１で生成された映像信号の信号処理及び通話時に音声信号（親機音声信号、子機音声信号）の送受信を行う機能、及び（親機操作部２０の）設定操作部２０１の使用による信号転送先の情報をもとに自親機を除く１台又は複数台の他のインターホン親機に呼出信号及び映像信号を転送する機能等を備えている。また、親機Ｉ／Ｆ２５は、親機制御部２４及び汎用ネットワーク３間の信号伝送路を形成し、形成された信号伝送路を経由して各種信号の送受信を行うものである。
【００３３】
なお、（親機操作部２０の）設定操作部２０１の使用による信号転送先の情報を記憶する情報保存機能は、前述のような親機制御部２４に備える態様に限定されるものではなく、例えば、親機制御部２４と別体で当該親機制御部により書込み・読出し制御される、不図示の記憶部として備えることもできる。
【００３４】
このように構成された本発明の実施例によるインターホンシステムにおいて、以下、具体的な動作について説明する。
「第１の呼出・映像転送動作」
第１の呼出・映像転送動作として、当該システムが適用される所定のエリア内で特定の住戸の住戸外、例えば、住戸玄関に居る来訪者が、図１に示すインターホン子機１の子機操作部１０を使用して呼出操作を行うと、この操作を検出した子機制御部１４は、例えば、ＳＩＰ対応の信号フォーマットで自インターホン子機１に割当てられた子機ＩＤ「ＩＤ−１」と、第１乃至第６のインターホン親機２ａ、２ｂ、２ｃ、２ｄ、２ｅ、２ｆのうち呼出相手先として予め設定されている何れか１のインターホン親機、ここでは、第１のインターホン親機２ａを指定する親機ＩＤ「ＩＤ−２ａ」とを付加した呼出信号（以下、第１の呼出信号という）を生成する。また、子機制御部１４で生成された第１の呼出信号は、子機Ｉ／Ｆ１５から汎用ネットワーク３を経由して第１乃至第６のインターホン親機２ａ、２ｂ、２ｃ、２ｄ、２ｅ、２ｆの親機Ｉ／Ｆ２５にそれぞれ伝送される。
【００３５】
また、インターホン子機１の子機制御部１４によれば、前述のような子機操作部１０の使用による来訪者からの呼出しを検出すると、撮像部１１を能動とする。この制御により、撮像部１１で生成された映像信号が、例えば、エンコーダ処理や信号増幅等された後、ＳＩＰ対応の信号フォーマットで自インターホン子機１に割当てられた子機ＩＤ「ＩＤ−１」及び第１のインターホン親機２ａを指定する親機ＩＤ「ＩＤ−２ａ」を付加した当該信号（以下、第１の映像信号という）で、子機Ｉ／Ｆ１５から汎用ネットワーク３を経由して第１乃至第６のインターホン親機２ａ、２ｂ、２ｃ、２ｄ、２ｅ、２ｆの親機Ｉ／Ｆ２５にそれぞれ伝送される。
【００３６】
ここで、第１乃第６のインターホン親機２ａ、２ｂ、２ｃ、２ｄ、２ｅ、２ｆの親機制御部２４はそれぞれ、親機Ｉ／Ｆ２５を経由して受信した第１の呼出信号及び第１の映像信号のうち、少なくとも第１の呼出信号に付加されている親機ＩＤ「ＩＤ−２ａ」と自インターホン親機２ａ、２ｂ、２ｃ、２ｄ、２ｅ、２ｆに割当てられた親機ＩＤ「ＩＤ−２ａ」、「ＩＤ−２ｂ」、「ＩＤ−２ｃ」、「ＩＤ−２ｄ」、「ＩＤ−２ｅ」、「ＩＤ−２ｆ」とを照合する。ここでは、第１のインターホン親機２ａの親機制御部２４のみ、親機ＩＤが「ＩＤ−２ａ」で一致するため、この親機制御部２４は、同様に付加されている子機ＩＤ「ＩＤ−１」に該当するインターホン子機１で呼出操作を行った来訪者からの呼出しがあることを検出し、その旨の呼出音や音声メッセージ等を親機スピーカ２３から出力させて呼出報知を行うことができるばかりでなく、表示部２１を能動とする。
【００３７】
また、第１のインターホン親機２ａの親機制御部２４は、親機Ｉ／Ｆ２５を経由して受信した第１の映像信号に付加されている親機ＩＤ「ＩＤ−２ａ」についても自インターホン親機２ａに割当てられた親機ＩＤ「ＩＤ−２ａ」と一致するため、受信した第１の映像信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。
【００３８】
さらに、第１のインターホン親機２ａの親機制御部２４は、前述のような呼出検出を行ったとき、親機操作部２０の設定操作部２０１の使用により自インターホン親機２ａが転送モードであると、この設定操作部２０１の使用で設定・記憶されている信号転送先のインターホン親機について図２のテーブル図を参照し、第２、第３のインターホン親機２ｂ、２ｃに割当てられた親機ＩＤ「ＩＤ−２ｂ」、「ＩＤ−２ｃ」を検出するとともに、これら親機ＩＤ「ＩＤ−２ｂ」、「ＩＤ−２ｃ」と、信号転送先に該当する親機ＩＤが２個の複数であることを示す輻輳制御コマンドと、自インターホン親機２ａにおける転送回数であってその初期値に固定値を加算又は減算した転送回数情報とをそれぞれ、インターホン子機１からの第１の呼出信号及び第１の映像信号に付加した、呼出転送信号（以下、第１の呼出転送信号という）及び映像転送信号（以下、第１の映像転送信号という）を生成する。これら第１の呼出転送信号及び第１の映像転送信号は、第１のインターホン親機２ａの親機制御部２４から親機Ｉ／Ｆ２５、汎用ネットワーク３を経由して（自インターホン親機２ａを除く）第２乃至第６のインターホン親機２ｂ、２ｃ、２ｄ、２ｅ、２ｆの親機Ｉ／Ｆ２５と、第１のインターホン親機２ａの親機制御部２４から親機Ｉ／Ｆ２５、汎用ネットワーク３を経由してインターホン子機１の子機Ｉ／Ｆ１５とにそれぞれ伝送される。
【００３９】
なお、前述の転送回数の初期値としては、信号転送先でその回数情報に後述する固定値を加算するにあたっての加算用初期値とされる例えば、「１」、又は信号転送先でその回数情報から後述する固定値を減算し、その回数情報が所定の値に至ったときに自インターホン親機が最終の信号伝送先と規定するにあたっての減算用初期値とされる例えば、「１」を、それぞれ適用するものとし、これらの初期値は任意の値で設定できるものであり、減算用初期値に該当する「１０」とは、信号転送先のインターホン親機についての最大数を示すものである。
【００４０】
また、第１のインターホン親機２ａの親機制御部２４で算出される転送回数情報とは、加算用初期値「１」から固定値である例えば、「１」を加算した転送回数情報「２」、又は減算用初期値「１０」から固定値である例えば、「１」を減算した転送回数情報「９」とする。
【００４１】
インターホン子機１の子機制御部１４によれば、子機Ｉ／Ｆ１５を経由して受信した第１のインターホン親機２ａからの第１の呼出転送信号及び第１の映像転送信号のうち、少なくとも第１の呼出転送信号に付加されている親機ＩＤ「ＩＤ−２ｂ」、「ＩＤ−２ｃ」が自インターホン子機１に割当てられた子機ＩＤ「ＩＤ−１」と一致しないため、通常、受信した第１の呼出転送信号及び第１の映像転送信号が無効な信号であると判断して破棄する。
【００４２】
一方、第２乃至第６のインターホン親機２ｂ、２ｃ、２ｄ、２ｅ、２ｆの親機制御部２４はそれぞれ、親機Ｉ／Ｆ２５を経由して受信した第１のインターホン親機２ａからの第１の呼出転送信号及び第１の映像伝送信号のうち、少なくとも第１の呼出転送信号に付加されている親機ＩＤ「ＩＤ−２ｂ」、「ＩＤ−２ｃ」と自インターホン親機２ｂ、２ｃ、２ｄ、２ｅ、２ｆに割当てられた親機ＩＤ「ＩＤ−２ｂ」、「ＩＤ−２ｃ」、「ＩＤ−２ｄ」、「ＩＤ−２ｅ」、「ＩＤ−２ｆ」とを照合する。ここでは、第２、第３のインターホン親機２ｂ、２ｃの親機制御部２４のみ、親機ＩＤが「ＩＤ−２ｂ」、「ＩＤ−２ｃ」でそれぞれ一致する。
【００４３】
次に、前述のように親機ＩＤが「ＩＤ−２ｂ」、「ＩＤ−２ｃ」でそれぞれ一致した第２、第３のインターホン親機２ｂ、２ｃの親機制御部２４のうち、第２のインターホン親機２ｂの親機制御部２４は、親機Ｉ／Ｆ２５を経由して受信した第１のインターホン親機２ａからの第１の呼出転送信号に付加されている子機ＩＤ「ＩＤ−１」に該当するインターホン子機１で呼出操作を行った来訪者からの呼出しがあることを検出し、その旨の呼出音や音声メッセージ等を親機スピーカ２３から出力させて呼出報知を行うことができるばかりでなく、表示部２１を能動とする。
【００４４】
また、第２のインターホン親機２ｂの親機制御部２４は、親機Ｉ／Ｆ２５を経由して受信した第１のインターホン親機２ａからの第１の映像転送信号に付加されている親機ＩＤ「ＩＤ−２ｂ」についても自インターホン親機２ｂに割当てられた親機ＩＤ「ＩＤ−２ｂ」と一致するため、受信した第１の映像転送信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。
【００４５】
さらに、第２のインターホン親機２ｂの親機制御部２４は、前述のような第１のインターホン親機２ａから汎用ネットワーク３を経由した転送呼出しに基づく呼出検出を行ったとき、親機操作部２０の設定操作部２０１の使用により自インターホン親機２ｂが転送モードであると、この設定操作部２０１の使用で設定・記憶されている信号転送先のインターホン親機について図２のテーブル図を参照し、第１のインターホン親機２ａに割当てられた親機ＩＤ「ＩＤ−２ａ」を検出するとともに、この親機ＩＤ「ＩＤ−２ａ」及び前述の輻輳制御コマンドと、自インターホン親機２ｂにおける転送回数情報として、加算用初期値「２」又は減算用初期値「９」に固定値、例えば、「１」を加算又は減算して得られる転送回数情報（加算用転送回数情報「３」又は減算用転送回数情報「８」）とをそれぞれ、受信した第１の呼出転送信号及び第１の映像転送信号に付加する。このような信号処理で生成された第１の呼出転送信号及び第１の映像転送信号は、第２のインターホン親機２ｂの親機制御部２４から親機Ｉ／Ｆ２５、汎用ネットワーク３を経由して（自インターホン親機２ｂを除く）第１、第３乃至第６のインターホン親機２ａ、２ｃ、２ｄ、２ｅ、２ｆの親機Ｉ／Ｆ２５と、第２のインターホン親機２ｂの親機制御部２４から親機Ｉ／Ｆ２５、汎用ネットワーク３を経由してインターホン子機１の子機Ｉ／Ｆ１５とにそれぞれ伝送される。
【００４６】
インターホン子機１の子機制御部１４によれば、子機Ｉ／Ｆ１５を経由して受信した第２のインターホン親機２ｂからの第１の呼出転送信号及び第１の映像転送信号のうち、少なくとも第１の呼出転送信号に付加されている親機ＩＤ「ＩＤ−２ａ」が自インターホン子機１に割当てられた子機ＩＤ「ＩＤ−１」と一致しないため、通常、受信した第１の呼出転送信号及び第１の映像転送信号が無効な信号であると判断して破棄する。
【００４７】
一方、第１、第３乃至第６のインターホン親機２ａ、２ｃ、２ｄ、２ｅ、２ｆの親機制御部２４はそれぞれ、親機Ｉ／Ｆ２５を経由して受信した第２のインターホン親機２ｂからの第１の呼出転送信号及び第１の映像伝送信号のうち、少なくとも第１の呼出転送信号に付加されている親機ＩＤ「ＩＤ−２ａ」と自インターホン親機２ａ、２ｃ、２ｄ、２ｅ、２ｆに割当てられた親機ＩＤ「ＩＤ−２ａ」、「ＩＤ−２ｃ」、「ＩＤ−２ｄ」、「ＩＤ−２ｅ」、「ＩＤ−２ｆ」とを照合する。ここでは、第１のインターホン親機２ａの親機制御部２４のみ、親機ＩＤが「ＩＤ−２ａ」で一致する。
【００４８】
また、第１のインターホン親機２ａの親機制御部２４は、前述のように親機ＩＤが「ＩＤ−２ａ」で一致するものの、受信した第１の呼出転送信号に輻輳制御コマンドが付加されており信号転送先のインターホン親機が複数台であることから、その後のタイミングにおける動作として、自インターホン親機２ａ以降の信号転送が不可能であると判断する。この親機制御部２４は、前述の呼出信号の受信時のような呼出報知及び映像信号に基づく映像表示の各動作を行うことはなく、受信した第１の呼出転送信号及び第１の映像転送信号を破棄することで、汎用ネットワーク３が有する所定の帯域（周波数帯域）に輻輳が発生することを防止でき、安定した高品質のネットワーク通信が可能となる。
【００４９】
次に、前述のように親機ＩＤが「ＩＤ−２ｂ」、「ＩＤ−２ｃ」でそれぞれ一致した第２、第３のインターホン親機２ｂ、２ｃの親機制御部２４のうち、第３のインターホン親機２ｃの親機制御部２４は、親機Ｉ／Ｆ２５を経由して受信した第１のインターホン親機２ａからの第１の呼出転送信号に付加されている子機ＩＤ「ＩＤ−１」に該当するインターホン子機１で呼出操作を行った来訪者からの呼出しがあることを検出するにあたり、その後のタイミングにおける動作として、親機操作部２０の設定操作部２０１の使用により自インターホン親機２ｃが転送モードであると、この設定操作部２０１の使用で設定・記憶されている信号転送先のインターホン親機について図２のテーブル図を参照し、第４乃第６のインターホン親機２ｄ、２ｅ、２ｆに割当てられた親機ＩＤ「ＩＤ−２ｄ」、「ＩＤ−２ｅ」、「ＩＤ−２ｆ」を検出するものの、受信した第１の呼出転送信号には輻輳制御コマンドが付加されており信号転送先のインターホン親機が複数台であることから、自インターホン親機２ｃ以降の信号転送が不可能であると判断する。この親機制御部２４は、前述の第２のインターホン親機２ｂのような呼出報知及び映像表示の各動作を行うことはなく、受信した第１の呼出転送信号及び第１の映像転送信号を破棄することで、汎用ネットワーク３が有する所定の帯域（周波数帯域）に輻輳が発生することを防止でき、安定した高品質のネットワーク通信が可能となる。
【００５０】
なお、第１の呼出・映像転送動作において、インターホン子機１の子機操作部１０の使用による呼出操作が、異なるタイミングで複数回行われた場合には、子機制御部１４から子機Ｉ／Ｆ１５、汎用ネットワーク３を経由して第１乃至第６のインターホン親機２ａ、２ｂ、２ｃ、２ｄ、２ｅ、２ｆの親機Ｉ／Ｆ２５にそれぞれ伝送される第１の呼出信号についても、その操作タイミングに対応して複数回伝送されることになる。このような複数回に亘る呼出操作が行われた場合であっても、第１乃至第６のインターホン親機２ａ、２ｂ、２ｃ、２ｄ、２ｅ、２ｆのうち、少なくともインターホン子機１からの呼出相手先である第１のインターホン親機２ａについては、前述と同様な信号転送の動作を行うことができる。
【００５１】
また、第１の呼出・映像転送動作によれば、第１のインターホン親機２ａの親機制御部２４における第１の呼出信号の受信時の呼出報知及び第１の映像信号に基づく映像表示を確認した在室者、及び第２のインターホン親機２ｂの親機制御部２４における第１の呼出転送信号の受信時の呼出報知及び第１の映像転送信号に基づく映像表示を確認した在室者のうち、何れか１の在室者であって親機操作部２０の通話操作部２００を使用して最先のタイミングで応答操作を行うと、この操作を検出した親機制御部２４及びインターホン子機１の子機制御部１４の制御により、在室者が使用する親機マイク２２から親機制御部２４、親機Ｉ／Ｆ２５、汎用ネットワーク３、（インターホン子機１の）子機Ｉ／Ｆ１５、子機制御部１４を経由して子機スピーカ１３までの信号伝送路と、来訪者が使用する子機マイク１２から子機制御部１４、子機Ｉ／Ｆ１５、汎用ネットワーク３、（第１又は第２のインターホン親機２ａ、２ｂの）親機Ｉ／Ｆ２５、親機制御部２４を経由して親機スピーカ２３までの信号伝送路とがそれぞれ形成され、形成された双方向の信号伝送路を経由して音声信号を送受信することで通話を成立させることができ、特に、在室者にとっては、応答操作前から継続して伝送されてくる映像信号をもとに表示部２１に表示されている来訪者の映像を確認しながらの通話が可能となる。
【００５２】
さらに、第１の呼出・映像転送動作によれば、例えば、前述のような呼出報知及び映像表示の各動作や通話動作が終了したタイミングにおいて、第１乃至第６のインターホン親機２ａ、２ｂ、２ｃ、２ｄ、２ｅ、２ｆのうち、少なくともインターホン子機１からの呼出相手先である第１のインターホン親機２ａと、このインターホン親機２ａの信号転送先である第２、第３のインターホン親機２ｂ、２ｃについてはそれぞれ、親機操作部２０の設定操作部２００を使用することで転送モードを解除することができる。
「第２の呼出・映像転送動作」
次に、第２の呼出・映像転送動作として、前述の第１の呼出・映像転送動作と同様、図１に示すインターホン子機１の子機操作部１０を使用して来訪者が呼出操作を行った場合で、この操作を検出した子機制御部１４により指定される呼出相手先として第１のインターホン親機２ａが予め設定されているときの動作であり、前述のような第２のインターホン親機２ｂから汎用ネットワーク３、親機Ｉ／Ｆ２５経由して信号転送されてくる第１の呼出転送信号及び第１の映像伝送信号を受信した第１、第３乃至第６のインターホン親機２ａ、２ｃ、２ｄ、２ｅ、２ｆの親機制御部２４はそれぞれ、少なくとも第１の呼出転送信号に付加されている親機ＩＤ「ＩＤ−２ａ」と自インターホン親機２ａ、２ｃ、２ｄ、２ｅ、２ｆに割当てられた親機ＩＤ「ＩＤ−２ａ」、「ＩＤ−２ｃ」、「ＩＤ−２ｄ」、「ＩＤ−２ｅ」、「ＩＤ−２ｆ」とを照合する。ここでは、第１のインターホン親機２ａの親機制御部２４のみ、親機ＩＤが「ＩＤ−２ａ」で一致する。
【００５３】
ここで、第１のインターホン親機２ａの親機制御部２４は、前述のように親機ＩＤが「ＩＤ−２ａ」で一致した後の動作であり、前述の第１の呼出・映像転送動作時とは異なる別途な動作として図２のテーブル図を参照し、信号転送先として第２、第３のインターホン親機２ｂ、２ｃに割当てられた親機ＩＤ「ＩＤ−２ｂ」、「ＩＤ−２ｃ」を検出するとともに、これら親機ＩＤ「ＩＤ−２ｂ」、「ＩＤ−２ｃ」と、信号転送先に該当する親機ＩＤが２個の複数であることを示す輻輳制御コマンドと、自インターホン親機２ａにおける転送回数情報として、前述の加算用転送回数情報「２」又は減算用転送回数情報「９」から固定値である「１」を加算又は減算して得られる転送回数情報（加算用転送回数情報「３」又は減算用転送回数情報「８」）とをそれぞれ、受信した第１の呼出転送信号及び第１の映像転送信号に付加する。このような信号処理で生成された第１の呼出転送信号及び第１の映像転送信号は、第１のインターホン親機２ａの親機制御部２４から親機Ｉ／Ｆ２５、汎用ネットワーク３、（自インターホン親機２ａを除く）第２乃至第６のインターホン親機２ｂ、２ｃ、２ｄ、２ｅ、２ｆの親機Ｉ／Ｆ２５を経由して親機制御部２４と、第１のインターホン親機２ａの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ｂ」、「ＩＤ−２ｃ」でそれぞれ一致する第２、第３のインターホン親機２ｂ、２ｃの親機制御部２４のうち、第２のインターホン親機２ｂの親機制御部２４によれば、第１のインターホン親機２ａから汎用ネットワーク３を経由した転送呼出しに基づく呼出検出を行うことができる。
【００５４】
また、第２のインターホン親機２ｂの親機制御部２４は、前述の呼出検出を行った後のタイミングで図２のテーブル図を参照し、信号転送先として第１のインターホン親機２ａに割当てられた親機ＩＤ「ＩＤ−２ａ」を検出するとともに、この親機ＩＤ「ＩＤ−２ａ」及び前述の輻輳制御コマンドと、自インターホン親機２ｂにおける転送回数情報として、前述の加算用転送回数情報「３」又は減算用転送回数情報「８」から固定値である「１」を加算又は減算して得られる転送回数情報（加算用転送回数情報「４」又は減算用転送回数情報「７」）とをそれぞれ、受信した第１の呼出転送信号及び第１の映像転送信号に付加する。このような信号処理で生成された第１の呼出転送信号及び第１の映像転送信号は、第２のインターホン親機２ｂの親機制御部２４から親機Ｉ／Ｆ２５、汎用ネットワーク３、（自インターホン親機２ｂを除く）第１、第３乃至第６のインターホン親機２ａ、２ｃ、２ｄ、２ｅ、２ｆの親機Ｉ／Ｆ２５を経由して親機制御部２４と、第２のインターホン親機２ｂの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ａ」で一致する第１のインターホン親機２ａの親機制御部２４のみ、第２のインターホン親機２ｂから汎用ネットワーク３を経由した転送呼出しに基づく呼出検出を行うことができる。
【００５５】
さらに、第１のインターホン親機２ａの親機制御部２４は、前述の呼出検出を行った後のタイミングで図２のテーブル図を参照し、信号転送先として第２、第３のインターホン親機２ｂ、２ｃに割当てられた親機ＩＤ「ＩＤ−２ｂ」、「ＩＤ−２ｃ」を検出するとともに、これら親機ＩＤ「ＩＤ−２ｂ」、「ＩＤ−２ｃ」及び前述の輻輳制御コマンドと、自インターホン親機２ａにおける転送回数情報として、前述の加算用転送回数情報「４」又は減算用転送回数情報「７」から固定値である「１」を加算又は減算して得られる転送回数情報（加算用転送回数情報「５」又は減算用転送回数情報「６」）とをそれぞれ、受信した第１の呼出転送信号及び第１の映像転送信号に付加する。このような信号処理で生成された第１の呼出転送信号及び第１の映像転送信号は、第１のインターホン親機２ａの親機制御部２４から親機Ｉ／Ｆ２５、汎用ネットワーク３、（自インターホン親機２ａを除く）第２乃至第６のインターホン親機２ｂ、２ｃ、２ｄ、２ｅ、２ｆの親機Ｉ／Ｆ２５を経由して親機制御部２４と、第１のインターホン親機２ａの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ｂ」、「ＩＤ−２ｃ」でそれぞれ一致する第２、第３のインターホン親機２ｂ、２ｃの親機制御部２４のうち、第２のインターホン親機２ｂの親機制御部２４によれば、第１のインターホン親機２ａから汎用ネットワーク３を経由した転送呼出しに基づく呼出検出を行うことができる。
【００５６】
前述の説明から明らかなように、汎用ネットワーク３を経由した第１、第２のインターホン親機２ａ、２ｂの相互間における信号転送の動作は、何れかの親機の親機制御部２４で検出される転送回数情報としての加算用転送回数情報が所定の回数である例えば、「１０」に至ったとき、又は減算用転送回数情報が所定の回数である例えば、「１」に至ったときまで繰返され、これら所定の回数に至った以降、受信した第１の呼出転送信号及び第１の映像転送信号にかかる転送の動作を停止して破棄することで、汎用ネットワーク３が有する所定の帯域（周波数帯域）に輻輳が発生することを防止でき、安定した高品質のネットワーク通信が可能となる。
【００５７】
なお、第２の呼出・映像転送動作において、インターホン子機１の子機操作部１０の使用による呼出操作が、異なるタイミングで複数回行われた場合には、前述の第１の呼出・映像転送動作時と同様、子機制御部１４から子機Ｉ／Ｆ１５、汎用ネットワーク３を経由して第１乃至第６のインターホン親機２ａ、２ｂ、２ｃ、２ｄ、２ｅ、２ｆの親機Ｉ／Ｆ２５にそれぞれ伝送される第１の呼出信号についても、その操作タイミングに対応して複数回伝送されることになる。このような複数回に亘る呼出操作が行われた場合であっても、第１乃至第６のインターホン親機２ａ、２ｂ、２ｃ、２ｄ、２ｅ、２ｆのうち、少なくともインターホン子機１からの呼出相手先である第１のインターホン親機２ａについては、前述と同様な信号転送の動作を行うことができる。
【００５８】
また、第２の呼出・映像転送動作によれば、第１のインターホン親機２ａの親機制御部２４における第１の呼出信号の受信時の呼出報知及び第１の映像信号に基づく映像表示を確認した在室者、及び第２、第３のインターホン親機２ｂ、２ｃの親機制御部２４における第１の呼出転送信号の受信時の呼出報知及び第１の映像転送信号に基づく映像表示を確認した在室者のうち、何れか１の在室者であって親機操作部２０の通話操作部２００を使用して最先のタイミングで応答操作を行うと、この操作を検出した親機制御部２４及びインターホン子機１の子機制御部１４の制御により、在室者が使用する親機マイク２２から親機制御部２４、親機Ｉ／Ｆ２５、汎用ネットワーク３、（インターホン子機１の）子機Ｉ／Ｆ１５、子機制御部１４を経由して子機スピーカ１３までの信号伝送路と、来訪者が使用する子機マイク１２から子機制御部１４、子機Ｉ／Ｆ１５、汎用ネットワーク３、（第１、第２又は第３のインターホン親機２ａ、２ｂ、２ｃの）親機Ｉ／Ｆ２５、親機制御部２４を経由して親機スピーカ２３までの信号伝送路とがそれぞれ形成され、形成された双方向の信号伝送路を経由して音声信号を送受信することで通話を成立させることができ、特に、在室者にとっては、応答操作前から継続して伝送されてくる映像信号をもとに表示部２１に表示されている来訪者の映像を確認しながらの通話が可能となる。
【００５９】
さらに、第２の呼出・映像転送動作によれば、前述の第１の呼出・映像転送動作と同様、例えば、呼出報知及び映像表示の各動作や通話動作が終了したタイミングにおいて、第１乃至第６のインターホン親機２ａ、２ｂ、２ｃ、２ｄ、２ｅ、２ｆのうち、少なくともインターホン子機１からの呼出相手先である第１のインターホン親機２ａと、このインターホン親機２ａの信号転送先である第２、第３のインターホン親機２ｂ、２ｃについてはそれぞれ、親機操作部２０の設定操作部２００を使用することで転送モードを解除することができる。
「第３の呼出・映像転送動作」
次に、第３の呼出・映像転送動作として、前述の第１、第２の呼出・映像転送動作と同様、図１に示すインターホン子機１の子機操作部１０を使用して来訪者が呼出操作を行った場合で、この操作を検出した子機制御部１４により指定される呼出相手先として第１のインターホン親機２ａが予め設定されているときの動作であり、第３のインターホン親機２ｃの親機制御部２４は、前述のような親機Ｉ／Ｆ２５を経由して受信した第１のインターホン親機２ａからの第１の呼出転送信号に付加されている子機ＩＤ「ＩＤ−１」に該当するインターホン子機１で呼出操作を行った来訪者からの呼出しがあることを検出するにあたって、第１、第２の呼出・映像転送動作時とは異なる別途な動作として、親機操作部２０の設定操作部２０１の使用により自インターホン親機２ｃが転送モードであると、この設定操作部２０１の使用で設定・記憶されている信号転送先のインターホン親機について図２のテーブル図を参照し、第４乃第６のインターホン親機２ｄ、２ｅ、２ｆに割当てられた親機ＩＤ「ＩＤ−２ｄ」、「ＩＤ−２ｅ」、「ＩＤ−２ｆ」を検出するものの、受信した第１の呼出転送信号には輻輳制御コマンドが付加されており信号転送先のインターホン親機が複数台であることから、親機ＩＤ「ＩＤ−２ｄ」、「ＩＤ−２ｅ」、「ＩＤ−２ｆ」のうち何れか１の親機ＩＤを信号転送先として選択する。
【００６０】
ここでは、親機ＩＤ「ＩＤ−２ｄ」、「ＩＤ−２ｅ」、「ＩＤ−２ｆ」のうち例えば、先頭の当該親機ＩＤである「ＩＤ−２ｄ」が選択されたものと仮定すると、第３のインターホン親機２ｃの親機制御部２４は、この親機ＩＤ「ＩＤ−２ｄ」及び前述の輻輳制御コマンドと、自インターホン親機２ｃにおける転送回数情報として、加算用転送回数情報「２」又は減算用転送回数情報「９」から、固定値である「１」を加算又は減算して得られる転送回数情報（加算用転送回数情報「３」又は減算用転送回数情報「８」）とをそれぞれ、受信した第１の呼出転送信号及び第１の映像転送信号に付加する。このような信号処理で生成された第１の呼出転送信号及び第１の映像転送信号は、第３のインターホン親機２ｃの親機制御部２４から親機Ｉ／Ｆ２５、汎用ネットワーク３を経由して（自インターホン親機２ｃを除く）第１、第２、第４乃至第６のインターホン親機２ａ、２ｂ、２ｄ、２ｅ、２ｆの親機Ｉ／Ｆ２５と、第３のインターホン親機２ｃの親機制御部２４から親機Ｉ／Ｆ２５、汎用ネットワーク３を経由してインターホン子機１の子機Ｉ／Ｆ１５とにそれぞれ伝送される。
【００６１】
インターホン子機１の子機制御部１４によれば、子機Ｉ／Ｆ１５を経由して受信した第３のインターホン親機２ｃからの第１の呼出転送信号及び第１の映像転送信号のうち、少なくとも第１の呼出転送信号に付加されている親機ＩＤ「ＩＤ−２ｄ」が自インターホン子機１に割当てられた子機ＩＤ「ＩＤ−１」と一致しないため、通常、受信した第１の呼出転送信号及び第１の映像転送信号が無効な信号であると判断して破棄する。
【００６２】
一方、第１、第２、第４乃至第６のインターホン親機２ａ、２ｂ、２ｄ、２ｅ、２ｆの親機制御部２４はそれぞれ、親機Ｉ／Ｆ２５を経由して受信した第３のインターホン親機２ｃからの第１の呼出転送信号及び第１の映像転送信号のうち、少なくとも第１の呼出転送信号に付加されている親機ＩＤ「ＩＤ−２ｄ」と自インターホン親機２ａ、２ｂ、２ｄ、２ｅ、２ｆに割当てられた親機ＩＤ「ＩＤ−２ａ」、「ＩＤ−２ｂ」、「ＩＤ−２ｄ」、「ＩＤ−２ｅ」、「ＩＤ−２ｆ」とを照合する。
【００６３】
ここでは、第４のインターホン親機２ｄの親機制御部２４のみ、親機ＩＤが「ＩＤ−２ｄ」で一致するため、この親機制御部２４は、同様に付加されている子機ＩＤ「ＩＤ−１」に該当するインターホン子機１で呼出操作を行った来訪者からの呼出しがあるにあたり、受信した第１の呼出転送信号に輻輳制御コマンドが付加されており信号転送先のインターホン親機が複数台であることから呼出報知及び映像信号に基づく映像表示の各動作を行うことはなく、親機操作部２０の設定操作部２０１の使用により自インターホン親機２ｄが転送モードであると、この設定操作部２０１の使用で設定・記憶されている信号転送先のインターホン親機について図２のテーブル図を参照するものの該当する親機ＩＤがないため、呼出報知後及び映像表示後のタイミングにおいて第１の呼出転送信号及び第１の第１の映像転送信号を汎用ネットワーク３に送出することなく破棄することで、汎用ネットワーク３が有する所定の帯域（周波数帯域）に輻輳が発生することを防止でき、安定した高品質のネットワーク通信が可能となる。
【００６４】
なお、第３の呼出・映像転送動作において、インターホン子機１の子機操作部１０の使用による呼出操作が、異なるタイミングで複数回行われた場合には、前述の第１、第２の呼出・映像転送動作と同様、子機制御部１４から子機Ｉ／Ｆ１５、汎用ネットワーク３を経由して第１乃至第６のインターホン親機２ａ、２ｂ、２ｃ、２ｄ、２ｅ、２ｆの親機Ｉ／Ｆ２５にそれぞれ伝送される第１の呼出信号についても、その操作タイミングに対応して複数回伝送されることになる。このような複数回に亘る呼出操作が行われた場合であっても、第１乃至第６のインターホン親機２ａ、２ｂ、２ｃ、２ｄ、２ｅ、２ｆのうち、少なくともインターホン子機１からの呼出相手先である第１のインターホン親機２ａについては、前述と同様な転送動作を行うことができる。
【００６５】
また、第３の呼出・映像転送動作によれば、前述の第１、第２の呼出・映像転送動作と同様、例えば、呼出報知及び映像表示の各動作や通話動作が終了したタイミングにおいて、第１乃至第６のインターホン親機２ａ、２ｂ、２ｃ、２ｄ、２ｅ、２ｆのうち、少なくともインターホン子機１からの呼出相手先である第１のインターホン親機２ａと、このインターホン親機２ａの信号転送先である第２、第３のインターホン親機２ｂ、２ｃについてはそれぞれ、親機操作部２０の設定操作部２００を使用することで転送モードを解除することができる。
【００６６】
さらに、第３の呼出・映像転送動作において、第３のインターホン親機２ｃの親機制御部２４によれば、信号転送先として第４のインターホン親機２ｄが選択されるように、親機ＩＤ「ＩＤ−２ｄ」、「ＩＤ−２ｅ」、「ＩＤ−２ｆ」のうち先頭の親機「ＩＤ−２ｄ」を選択したが、この態様に限定されるものではなく、親機「ＩＤ−２ｅ」、「ＩＤ−２ｆ」のうち何れかを信号転送先として選択することもでき、この選択は親機制御部２４の制御に起因するものである。
「第４の呼出・映像転送動作」
次に、第４の呼出・映像転送動作として、当該システムが適用される所定のエリア内で特定の住戸の住戸外、例えば、住戸玄関に居る来訪者が、図１に示すインターホン子機１の子機操作部１０を使用して呼出操作を行うと、この操作を検出した子機制御部１４は、例えば、ＳＩＰ対応の信号フォーマットで自インターホン子機１に割当てられた子機ＩＤ「ＩＤ−１」と、第１乃至第６のインターホン親機２ａ、２ｂ、２ｃ、２ｄ、２ｅ、２ｆのうち呼出相手先として予め設定されている何れか１のインターホン親機、ここでは、第５のインターホン親機２ｅを指定する親機ＩＤ「ＩＤ−２ｅ」とを付加した呼出信号（以下、第２の呼出信号という）を生成する。また、子機制御部１４で生成された第２の呼出信号は、前述の第１の呼出信号と同様な信号伝送路を経由して第１乃至第６のインターホン親機２ａ、２ｂ、２ｃ、２ｄ、２ｅ、２ｆの親機Ｉ／Ｆ２５にそれぞれ伝送される。
【００６７】
また、インターホン子機１の子機制御部１４によれば、前述のような子機操作部１０の使用による来訪者からの呼出しを検出すると、撮像部１１を能動とする。この制御により、撮像部１１で生成された映像信号が、例えば、エンコーダ処理や信号増幅等された後、ＳＩＰ対応の信号フォーマットで自インターホン子機１に割当てられた子機ＩＤ「ＩＤ−１」及び第５のインターホン親機２ｅを指定する親機ＩＤ「ＩＤ−２ｅ」を付加した当該信号（以下、第２の映像信号という）で、前述の第１の映像信号と同様な信号伝送路を経由して第１乃至第６のインターホン親機２ａ、２ｂ、２ｃ、２ｄ、２ｅ、２ｆの親機Ｉ／Ｆ２５にそれぞれ伝送される。
【００６８】
ここで、第１乃第６のインターホン親機２ａ、２ｂ、２ｃ、２ｄ、２ｅ、２ｆの親機制御部２４はそれぞれ、親機Ｉ／Ｆ２５を経由して受信した第２の呼出信号及び第２の映像信号のうち、少なくとも第２の映像信号に付加されている親機ＩＤ「ＩＤ−２ｅ」と自インターホン親機２ａ、２ｂ、２ｃ、２ｄ、２ｅ、２ｆに割当てられた親機ＩＤ「ＩＤ−２ａ」、「ＩＤ−２ｂ」、「ＩＤ−２ｃ」、「ＩＤ−２ｄ」、「ＩＤ−２ｅ」、「ＩＤ−２ｆ」とを照合する。ここでは、第５のインターホン親機２ｅの親機制御部２４のみ、親機ＩＤが「ＩＤ−２ｅ」で一致するため、この親機制御部２４は、同様に付加されている子機ＩＤ「ＩＤ−１」に該当するインターホン子機１で呼出操作を行った来訪者からの呼出しがあることを検出し、その旨の呼出音や音声メッセージ等を親機スピーカ２３から出力させて呼出報知を行うことができるばかりでなく、表示部２１を能動とする。
【００６９】
また、第５のインターホン親機２ｅの親機制御部２４は、親機Ｉ／Ｆ２５を経由して受信した第２の映像信号に付加されている親機ＩＤ「ＩＤ−２ｅ」についても自インターホン親機２ｅに割当てられた親機ＩＤ「ＩＤ−２ｅ」と一致するため、受信した第２の映像信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。
【００７０】
また、第５のインターホン親機２ｅの親機制御部２４は、前述のような呼出検出を行ったとき、親機操作部２０の設定操作部２０１の使用により自インターホン親機２ｅが転送モードであると、この設定操作部２０１の使用で設定・記憶されている信号転送先のインターホン親機について図２のテーブル図を参照し、第６のインターホン親機２ｆに割当てられた親機ＩＤ「ＩＤ−２ｆ」を検出するとともに、この親機ＩＤ「ＩＤ−２ｆ」と、自インターホン親機２ｅにおける転送回数であってその初期値に固定値を加算又は減算した転送回数情報とをそれぞれ、インターホン子機１からの第２の呼出信号及び第２の映像信号に付加した、呼出転送信号（以下、第２の呼出転送信号という）及び映像転送信号（以下、第２の映像転送信号という）を生成する。これら第２の呼出転送信号及び第２の映像転送信号は、第５のインターホン親機２ｅの親機制御部２４から親機Ｉ／Ｆ２５、汎用ネットワーク３を経由して（自インターホン親機２ｅを除く）第１乃至第４、第６のインターホン親機２ａ、２ｂ、２ｃ、２ｄ、２ｆの親機Ｉ／Ｆ２５と、第５のインターホン親機２ｅの親機制御部２４から親機Ｉ／Ｆ２５、汎用ネットワーク３を経由してインターホン子機１の子機Ｉ／Ｆ１５とにそれぞれ伝送される。なお、信号転送先に該当する親機ＩＤは１個であるため、第２の呼出転送信号及び第２の映像転送信号に輻輳制御コマンドが付加されることはない。
【００７１】
ここで、第５のインターホン親機２ｅの親機制御部２４で算出される転送回数情報とは、加算用初期値「１」から固定値である例えば、「１」を加算した転送回数情報「２」、又は減算用初期値「１０」から固定値である例えば、「１」を減算した転送回数情報「９」とする。
【００７２】
インターホン子機１の子機制御部１４によれば、子機Ｉ／Ｆ１５を経由して受信した第５のインターホン親機２ｅからの第２の呼出転送信号及び第２の映像転送信号のうち、少なくとも第２の呼出転送信号に付加されている親機ＩＤ「ＩＤ−２ｆ」が自インターホン子機１に割当てられた子機ＩＤ「ＩＤ−１」と一致しないため、通常、受信した第２の呼出転送信号及び第２の映像転送信号が無効な信号であると判断して破棄する。
【００７３】
一方、第１乃至第４、第６のインターホン親機２ａ、２ｂ、２ｃ、２ｄ、２ｆの親機制御部２４はそれぞれ、親機Ｉ／Ｆ２５を経由して受信した第５のインターホン親機２ｅからの第２の呼出転送信号及び第２の映像転送信号のうち、少なくとも第２の呼出転送信号に付加されている親機ＩＤ「ＩＤ−２ｆ」と自インターホン親機２ａ、２ｂ、２ｃ、２ｄ、２ｆに割当てられた親機ＩＤ「ＩＤ−２ａ」、「ＩＤ−２ｂ」、「ＩＤ−２ｃ」、「ＩＤ−２ｄ」、「ＩＤ−２ｆ」とを照合する。
【００７４】
ここでは、第６のインターホン親機２ｆの親機制御部２４のみ、親機ＩＤが「ＩＤ−２ｆ」で一致するため、この親機制御部２４は、親機Ｉ／Ｆ２５を経由して受信した第２の呼出転送信号に付加されている子機ＩＤ「ＩＤ−１」に該当するインターホン子機１で呼出操作を行った来訪者からの呼出しがあることを検出し、その旨の呼出音や音声メッセージ等を親機スピーカ２３から出力させて呼出報知を行うことができるばかりでなく、表示部２１を能動とする。
【００７５】
また、第６のインターホン親機２ｆの親機制御部２４は、親機Ｉ／Ｆ２５を経由して第５のインターホン親機２ｅからの受信した第２の映像転送信号に付加されている親機ＩＤ「ＩＤ−２ｆ」についても自インターホン親機２ｆに割当てられた親機ＩＤ「ＩＤ−２ｆ」と一致するため、受信した第２の映像転送信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。
【００７６】
さらに、第６のインターホン親機２ｆの親機制御部２４は、前述のような第５のインターホン親機２ｅから汎用ネットワーク３を経由した転送呼出しに基づく呼出検出を行ったとき、親機操作部２０の設定操作部２０１の使用により自インターホン親機２ｆが転送モードであると、この設定操作部２０１の使用で設定・記憶されている信号転送先のインターホン親機について図２のテーブル図を参照し、第５のインターホン親機２ｅに割当てられた親機ＩＤ「ＩＤ−２ｅ」を検出するとともに、この親機ＩＤ「ＩＤ−２ｅ」と、自インターホン親機２ｆにおける転送回数情報として、前述の加算用転送回数情報「２」又は減算用転送回数情報「９」から固定値である「１」を加算又は減算して得られる転送回数情報（加算用転送回数情報「３」又は減算用転送回数情報「８」）とをそれぞれ、受信した第２の呼出転送信号及び第２の映像転送信号に付加する。このような信号処理で生成された第２の呼出転送信号及び第２の映像転送信号は、第６のインターホン親機２ｆの親機制御部２４から親機Ｉ／Ｆ２５、汎用ネットワーク３を経由して（自インターホン親機２ｆを除く）第１乃至第５のインターホン親機２ａ、２ｂ、２ｃ、２ｄ、２ｅの親機Ｉ／Ｆ２５と、第６のインターホン親機２ｆの親機制御部２４から親機Ｉ／Ｆ２５、汎用ネットワーク３を経由してインターホン子機１の子機Ｉ／Ｆ１５とにそれぞれ伝送される。
【００７７】
インターホン子機１の子機制御部１４によれば、子機Ｉ／Ｆ１５を経由して受信した第６のインターホン親機２ｆからの第２の呼出転送信号及び第２の映像転送信号のうち、少なくとも第２の呼出転送信号に付加されている親機ＩＤ「ＩＤ−２ｅ」が自インターホン子機１に割当てられた子機ＩＤ「ＩＤ−１」と一致しないため、通常、受信した第２の呼出転送信号及び第２の映像転送信号が無効な信号であると判断して破棄する。
【００７８】
一方、第１乃至第５のインターホン親機２ａ、２ｂ、２ｃ、２ｄ、２ｅの親機制御部２４はそれぞれ、親機Ｉ／Ｆ２５を経由して受信した第６のインターホン親機２ｆからの第２の呼出転送信号及び第２の映像転送信号のうち、少なくとも第２の映像転送信号に付加されている親機ＩＤ「ＩＤ−２ｅ」と自インターホン親機２ａ、２ｂ、２ｃ、２ｄ、２ｅに割当てられた親機ＩＤ「ＩＤ−２ａ」、「ＩＤ−２ｂ」、「ＩＤ−２ｃ」、「ＩＤ−２ｅ」とを照合する。
【００７９】
ここでは、第５のインターホン親機２ｅの親機制御部２４のみ、親機ＩＤが「ＩＤ−２ｅ」で一致するため、この親機制御部２４は、同様に付加されている子機ＩＤ「ＩＤ−１」に該当するインターホン子機１で呼出操作を行った来訪者からの呼出しがあることを検出し、その旨の呼出音や音声メッセージ等を親機スピーカ２３から出力させて呼出報知を行うことができるばかりでなく、表示部２１を能動とする。
【００８０】
また、第５のインターホン親機２ｅの親機制御部２４は、親機Ｉ／Ｆ２５を経由して受信した第６のインターホン親機２ｆからの第２の映像転送信号についても親機ＩＤ「ＩＤ−２ｅ」が自インターホン親機２ｅに割当てられた親機ＩＤ「ＩＤ−２ｅ」と一致するため、受信した第２の映像転送信号をデコード処理や信号増幅等して表示部２１に送出することで、来訪者の映像を表示部２１に再表示させることができるばかりでなく、この表示部２１には、来訪者からの呼出しがあることを示す文字メッセージや絵データ等を再表示（呼出表示）させることもできる。
【００８１】
また、第５のインターホン親機２ｅの親機制御部２４は、前述のような第６のインターホン親機２ｆから汎用ネットワーク３を経由した転送呼出しに基づく呼出検出を行ったとき、その後のタイミングにおける第１の動作として図２のテーブル図を参照し、信号転送先として第６のインターホン親機２ｆに割当てられた親機ＩＤ「ＩＤ−２ｆ」を検出するとともに、この親機ＩＤ「ＩＤ−２ｆ」と、自インターホン親機２ｅにおける転送回数情報として、前述の加算用転送回数情報「３」又は減算用転送回数情報「８」から固定値である「１」を加算又は減算して得られる転送回数情報（加算用転送回数情報「４」又は減算用転送回数情報「７」）とをそれぞれ、受信した第２の呼出転送信号及び第２の映像転送信号に付加する。このような信号処理で生成された第２の呼出転送信号及び第２の映像転送信号は、第５のインターホン親機２ｅの親機制御部２４から親機Ｉ／Ｆ２５、汎用ネットワーク３を経由して（自インターホン親機２ｅを除く）第１乃至第４、第５のインターホン親機２ａ、２ｂ、２ｃ、２ｄ、２ｆの親機Ｉ／Ｆ２５を経由して親機制御部２４と、第５のインターホン親機２ｅの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ｆ」」で一致する第６のインターホン親機２ｆの親機制御部２４のみ、第５のインターホン親機２ｅから汎用ネットワーク３を経由した転送呼出しに基づく呼出検出を行うことができる。
【００８２】
また、第６のインターホン親機２ｆの親機制御部２４は、前述の呼出検出を行った後のタイミングで図２のテーブル図を参照し、信号転送先として第５のインターホン親機２ｅに割当てられた親機ＩＤ「ＩＤ−２ｅ」を検出するとともに、この親機ＩＤ「ＩＤ−２ｅ」と、自インターホン親機２ｅにおける転送回数情報として、前述の加算用転送回数情報「４」又は減算用転送回数情報「７」から固定値である「１」を加算又は減算して得られる転送回数情報（加算用転送回数情報「５」又は減算用転送回数情報「６」）とをそれぞれ、受信した第２の呼出転送信号及び第２の映像転送信号に付加する。このような信号処理で生成された第２の呼出転送信号及び第２の映像転送信号は、第６のインターホン親機２ｆの親機制御部２４から親機Ｉ／Ｆ２５、汎用ネットワーク３、（自インターホン親機２ｆを除く）第１乃至第５のインターホン親機２ａ、２ｂ、２ｃ、２ｄ、２ｅの親機Ｉ／Ｆ２５を経由して親機制御部２４と、第６のインターホン親機２ｆの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ｅ」で一致する第５のインターホン親機２ｅの親機制御部２４のみ、第６のインターホン親機２ｆから汎用ネットワーク３を経由した転送呼出しに基づく呼出検出を行うことができる。
【００８３】
さらに、第５のインターホン親機２ｅの親機制御部２４は、前述の呼出検出を行った後のタイミングで図２のテーブル図を参照し、信号転送先として第６のインターホン親機２ｆに割当てられた親機ＩＤ「ＩＤ−２ｆ」を検出するとともに、この親機ＩＤ「ＩＤ−２ｆ」と、自インターホン親機２ｅにおける転送回数情報として、前述の加算用転送回数情報「５」又は減算用転送回数情報「６」から固定値である「１」を加算又は減算して得られる転送回数情報（加算用転送回数情報「６」又は減算用転送回数情報「５」）とをそれぞれ、受信した第２の呼出転送信号及び第２の映像転送信号に付加する。このような信号処理で生成された第２の呼出転送信号及び第２の映像転送信号は、第５のインターホン親機２ｅの親機制御部２４から親機Ｉ／Ｆ２５、汎用ネットワーク３、（自インターホン親機２ｅを除く）第２乃至第６のインターホン親機２ｂ、２ｃ、２ｄ、２ｅ、２ｆの親機Ｉ／Ｆ２５を経由して親機制御部２４と、第５のインターホン親機２ｅの親機制御部２４から親機Ｉ／Ｆ２５、汎用ネットワーク３、インターホン子機１の子機Ｉ／Ｆ１５を経由して子機制御部１４とにそれぞれ伝送されるものの、親機ＩＤが「ＩＤ−２ｆ」で一致する第６のインターホン親機２ｆの親機制御部２４のみ、第５のインターホン親機２ｅから汎用ネットワーク３を経由した転送呼出しに基づく呼出検出を行うことができる。
【００８４】
前述の説明から明らかなように、汎用ネットワーク３を経由した第５、第６のインターホン親機２ｅ、２ｆの相互間における信号転送の動作は、何れかの親機の親機制御部２４で検出される転送回数情報としての加算用転送回数情報が所定の回数である例えば、「１０」に至ったとき、又は減算用転送回数情報が所定の回数である例えば、「０」に至ったときまで繰返され、所定の回数に至った以降、受信した第２の呼出転送信号及び第２の映像転送信号にかかる転送の動作を停止して破棄することで、汎用ネットワーク３が有する所定の帯域（周波数帯域）に輻輳が発生することを防止でき、安定した高品質のネットワーク通信が可能となる。
【００８５】
なお、第４の呼出・映像転送動作において、第５のインターホン親機２ｅの親機制御部２４によれば、汎用ネットワーク３を経由して受信する呼出信号及び映像信号として、インターホン子機１から送信されてくる呼出信号及び映像信号と、第６のインターホン親機２ｆから転送されてくる呼出信号及び映像信号（第２の呼出転送信号及び第２の映像転送信号）とのように、異なる送信元からの複数の当該信号を受信し、それぞれのタイミングで転送回数情報に固定値を加算又は当該転送回数情報から固定値を減算して得られる加算用転送回数情報又は減算用転送回数情報が所定の回数に至るまでの間、信号転送を行ったが、この態様に限定されるものではない。例えば、何れか１の当該呼出信号及び当該映像信号のみを残して他の当該呼出信号及び当該映像信号については破棄することで、汎用ネットワーク３が有する所定の帯域（周波数帯域）に輻輳が発生することを防止でき、安定した高品質のネットワーク通信が可能となる。
【００８６】
また、第４の呼出・映像転送動作において、インターホン子機１の子機操作部１０の使用による呼出操作が、異なるタイミングで複数回行われた場合には、子機制御部１４から子機Ｉ／Ｆ１５、汎用ネットワーク３を経由して第１乃至第６のインターホン親機２ａ、２ｂ、２ｃ、２ｄ、２ｅ、２ｆの親機Ｉ／Ｆ２５にそれぞれ伝送される第２の呼出信号についても、その操作タイミングに対応して複数回伝送されることになる。このような複数回に亘る呼出操作が行われた場合であっても、第１乃至第６のインターホン親機２ａ、２ｂ、２ｃ、２ｄ、２ｅ、２ｆのうち、少なくともインターホン子機１からの呼出相手先である第５のインターホン親機２ｅについては、前述と同様な信号転送の動作を行うことができる。
【００８７】
また、第４の呼出・映像転送動作によれば、第５のインターホン親機２ｅの親機制御部２４における第２の呼出信号又は呼出転送信号の受信時の呼出報知、及び第２の映像信号又が映像転送信号に基づく映像表示を確認した在室者と、第６のインターホン親機２ｆの親機制御部２４における第２の呼出転送信号の受信時の呼出報知及び第２の映像転送信号に基づく映像表示を確認した在室者のうち、何れか１の在室者であって親機操作部２０の通話操作部２００を使用して最先のタイミングで応答操作を行うと、この操作を検出した親機制御部２４及びインターホン子機１の子機制御部１４の制御により、在室者が使用する親機マイク２２から親機制御部２４、親機Ｉ／Ｆ２５、汎用ネットワーク３、（インターホン子機１の）子機Ｉ／Ｆ１５、子機制御部１４を経由して子機スピーカ１３までの信号伝送路と、来訪者が使用する子機マイク１２から子機制御部１４、子機Ｉ／Ｆ１５、汎用ネットワーク３、（第５又は第６のインターホン親機２ｅ、２ｆの）親機Ｉ／Ｆ２５、親機制御部２４を経由して親機スピーカ２３までの信号伝送路とがそれぞれ形成され、形成された双方向の信号伝送路を経由して音声信号を送受信することで通話を成立させることができ、特に、在室者にとっては、応答操作前から継続して伝送されてくる映像信号をもとに表示部２１に表示されている来訪者の映像を確認しながらの通話が可能となる。
【００８８】
さらに、第４の呼出・映像転送動作によれば、例えば、前述のような呼出報知及び映像表示の各動作や通話動作が終了したタイミングにおいて、第１乃至第６のインターホン親機２ａ、２ｂ、２ｃ、２ｄ、２ｅ、２ｆのうち、少なくともインターホン子機１からの呼出相手先である第５のインターホン親機２ｅと、このインターホン親機２ｅの信号転送先である第６のインターホン親機２ｆについてはそれぞれ、親機操作部２０の設定操作部２００を使用することで転送モードを解除することができる。
【００８９】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００９０】
具体的に、本発明の実施例においては、インターホン子機１から汎用ネットワーク３を経由して第１乃至第６のインターホン親機２ａ、２ｂ、２ｃ、２ｄ、２ｅ、２ｆに伝送する呼出信号及び映像信号と、第１乃至第６のインターホン親機２ａ、２ｂ、２ｃ、２ｄ、２ｅ、２ｆのうち汎用ネットワーク３を経由して特定のインターホン親機間で転送される呼出信号（呼出転送信号）及び映像信号（映像転送信号）とをそれぞれ、個別の当該信号として説明したが、このような信号伝送の形態に限定されるものではない。例えば、呼出時においては、同一のフレーム内に設けられる複数のスロットに呼出信号（呼出転送信号）及び映像信号（映像転送信号）をそれぞれ割当てる信号フォーマットを適用することができるばかりでなく、通話時においては、同一のフレーム内に設けられる複数のスロットに音声信号及び映像信号（映像転送信号）をそれぞれ割当てる信号フォーマットを適用することができる。
【００９１】
また、本発明の実施例においては、インターホン子機１に撮像部１１を、第１乃至第６のインターホン親機２ａ、２ｂ、２ｃ、２ｄ、２ｅ、２ｆに表示部２１を、それぞれ備えた構成の所謂、映像撮像機能及びその表示機能を有するインターホンシステムを適用したが、この態様に限定されるものではない。例えば、映像撮像機能及びその表示機能を不備とするインターホンシステムを適用することもできる。すなわち、映像信号の伝送・転送が行われないインターホンシステムである。
【符号の説明】
【００９２】
１……インターホン子機
１０……子機操作部
１４……子機制御部
２ａ、２ｂ、２ｃ、２ｄ、２ｅ、２ｆ……第１乃至第６（複数）のインターホン親機
２４……親機制御部
２００……設定操作部
３……汎用ネットワ−ク
【図１】
2015070469.tif 000003
【図２】
2015070469.tif 000004